(57)【要約】      （修正有）【課題】お気に入りリストを同時に表示し、お気に入りリストにある特定画像ファイルを即時再生することを可能にするメディアファイルのアクセス制御方法及び装置を提供する。【解決手段】デジタルメディアプレーヤ向けメディアファイルのアクセス制御方法は、ａ）モード選択指示を受信し、ｂ）モード選択指示が簡易モードあるいはコンピュータファイルモードに相当するかどうか見極め、ｃ）モード選択指示が簡易モードに相当する場合、マルチメディアファイルの各名称及び格納先を記憶している、予め作成されたお気に入りリストのコンテンツに従って、複数のマルチメディアファイルを読み込む手順を実行し、且つ、表示要素３１を含む画面の第一領域にあるマルチメディアファイルのサムネイルを表示する、ことを含む。マルチメディアファイルのサムネイルは、マルチメディアファイルを直接且つ即時に再生できるように、選択され得る。【選択図】図１
2011170849.tif 000002
【特許請求の範囲】
【請求項１】
デジタルメディアプレーヤ向けメディアファイルのアクセス制御方法であって、
ａ）モード選択指示を受信すること、
ｂ）モード選択指示が簡易モードあるいはコンピュータファイルモードに相当するかどうかを見極めること、
ｃ）モード選択指示が簡易モードに相当する場合、マルチメディアファイルの各名称及び格納先を記憶している、予め作成されたお気に入りリストのコンテンツに従って、複数のマルチメディアファイルを読み込む手順を実行し、且つ、表示要素（３１）を含む画面（５００）の第一領域（５１）にあるマルチメディアファイルのサムネイル（５３２）を表示し、前記マルチメディアファイルのサムネイル（５３２）は、マルチメディアファイルを直接且つ即時に再生できるように、選択され得ること、
という構成を含む、デジタルメディアプレーヤ向けメディアファイルのアクセス制御方法。
【請求項２】
前記ｃ）において、ビデオファイルもしくは写真ファイルに相当するマルチメディアファイルの１つを含むサムネイル（５３２）が選択されると、選択されたマルチメディアファイルのコンテンツが、画面（５００）の第二領域（５２）に表示される、請求項１に記載のメディアファイルのアクセス制御方法。
【請求項３】
前記ｃ）において、音楽ファイルに相当するマルチメディアファイルの１つを含むサムネイル（５３２）が選択されると、その音楽ファイルのタグ情報が、画面（５００）の第二領域（５２）に表示される、請求項１に記載のメディアファイルのアクセス制御方法。
【請求項４】
マルチメディアファイルのサムネイル（５３２）は、指示スクロール機構を利用して選択可能であり、
前記指示スクロール機構は、第一軸方向のボタンからの第一の案内指示が受信されると、同じファイルグループにあるマルチメディアファイルが選択され、且つ、第二軸方向のボタンからの第二の案内指示が受信されると、異なるファイルグループが選択される、という動作をする、
請求項１に記載のメディアファイルのアクセス制御方法。
【請求項５】
表示要素（３１）に提示用の複数のマルチメディアファイルを蓄えるために、データソース（２００）と連携する、デジタルメディアプレーヤ（１００）であって、
モード選択指示を受信するための遠隔制御受信機（１３）と、
予め作成されたお気に入りリストを格納し、そのお気に入りリストのコンテンツはマルチメディアファイルの各名称及び格納先を記憶している、記憶装置（１２）と、
プログラム制御モジュール（１１０）という構成を含み、
前記プログラム制御モジュール（１１０）は、
モード選択指示を受信し、
モード選択指示が簡易モードあるいはコンピュータファイルモードに相当するかどうかを見極め、
そこで、モード選択指示が簡易モードに相当する場合、各名称及び格納先を記憶している、予め作成されたお気に入りリストのコンテンツに従って、前記記憶装置（１２）からマルチメディアファイルを読み込み、
その結果、表示要素（３１）を含む画面（５００）の第一領域（５１）にあるマルチメディアファイルのサムネイル（５３２）を表示し、前記マルチメディアファイルのサムネイル（５３２）は、マルチメディアファイルを直接且つ即時に再生できるように、選択可能である、
デジタルメディアプレーヤ。
【請求項６】
前記デジタルメディアプレーヤ（１００）は、前記プログラム制御モジュール（１１０）が、ビデオファイルもしくは写真ファイルに相当するマルチメディアファイルの１つを含むサムネイル（５３２）が選択されたことを見極めると、選択されたマルチメディアファイルのコンテンツが、表示要素（３１）を含む画面（５００）の第二領域（５２）に表示される、請求項５に記載のデジタルメディアプレーヤ。
【請求項７】
前記デジタルメディアプレーヤ（１００）は、前記プログラム制御モジュール（１１０）が、音楽ファイルに相当するマルチメディアファイルの１つを含むサムネイル（５３２）が選択されたことを見極めると、その音楽ファイルのタグ情報が、表示要素（３１）を含む画面（５００）の第二領域（５２）に表示される、請求項５に記載のデジタルメディアプレーヤ。
【請求項８】
前記デジタルメディアプレーヤ（１００）は、前記プログラム制御モジュール（１１０）が、マルチメディアファイルのサムネイル（５３２）を制御及び選択する効力を持つ指示スクロール機構を利用し、
前記指示スクロール機構が、第一軸方向のボタンからの第一の案内指示を受信すると、同じファイルグループにあるメディアファイルを選択し、且つ、第二軸方向のボタンからの第二の案内指示を受信すると、異なるファイルグループを選択する、という動作をする、
請求項５に記載のデジタルメディアプレーヤ。
【請求項９】
デジタルメディアプレーヤ（１００）向け私のお気に入りフォルダを追加する方法であって、
ａ）新規の私のお気に入りリストフォルダを作成するかどうかを決定すること、
ｂ）私のお気に入りリストフォルダに名前が付けられるまで待機すること、
ｃ）選択用マルチメディアファイルの種類を提供すること、そして、
ｄ）新規の私のお気に入りリストフォルダの作成が無事完了したかどうか確認すること、
という構成を含む、デジタルメディアプレーヤ（１００）向け私のお気に入りフォルダを追加する方法。
【請求項１０】
表示要素（３１）に再生用の１つもしくは複数のマルチメディアファイルを蓄えるために、データソース（２００）と連携する、デジタルメディアプレーヤ（１００）であって、
案内指示を受信するための遠隔制御受信機（１３）と、
マルチメディアファイルのファイルパスを有するお気に入りリストを格納するための記憶装置（１２）と、
簡易モードの処理を行うプログラム制御モジュール（１１０）と、
ビデオインタフェース（１４１）と、を含み、
前記プログラム制御モジュール（１１０）は、
お気に入りリストにあるファイルパスに従って、マルチメディアファイルを読み込み、マルチメディアファイルのサムネイル（５３２）をプレビュー表示するためのサムネイルリスト（５３０）を生成し、受信した案内指示に従ってサムネイルリスト（５３０）から別のマルチメディアファイルを選択する、ディレクトリ処理ユニット（１１２）と、
案内指示によって選択されたマルチメディアファイルを再生したり、画像（５２０）を生成したりするための、再生処理ユニット（１１３）と、
画面（５００）の第一領域（５１）にあるサムネイルリスト（５３０）と前記画面（５００）の第二領域（５２）にある画像（５２０）を調整し、サムネイルリスト（５３０）と画像（５２０）を表示信号に統合させる、表示制御ユニット（１１４）と、を有し、
前記ビデオインタフェース（１４１）は、
表示信号を表示要素（３１）に表示するのに適した出力信号に変換し、出力信号を表示要素（３１）に出力させる、
デジタルメディアプレーヤ。
【請求項１１】
前記デジタルメディアプレーヤ（１００）において、前記ディレクトリ処理ユニット（１１２）は、スクロールして案内指示に準じたプレビュー表示をするために、サムネイルリスト（５３０）にあるサムネイル（５３２）を制御し、
サムネイルリスト（５３０）は、予め定められたウィンドウ（５３１）を含み、
予め定められたウィンドウ（５３１）の中にあるサムネイル（５３２）は、選択されたマルチメディアファイルをプレビュー表示する、
請求項１０に記載のデジタルメディアプレーヤ。
【請求項１２】
前記デジタルメディアプレーヤ（１００）において、前記ディレクトリ処理ユニット（１１２）が、第一軸方向の矢印ボタンから第一の案内指示を受信すると、同じファイルグループにあるマルチメディアファイルを選択し、且つ、
前記ディレクトリ処理ユニット（１１２）が、第二軸方向の矢印ボタンから第二の案内指示を受信すると、異なる種類のファイルグループを選択する、
請求項１０に記載のデジタルメディアプレーヤ。
【請求項１３】
前記デジタルメディアプレーヤ（１００）において、さらに、モードボタン（１６２）を有するリモコン機（１６）と、
前記モードボタン（１６２）が押された後、簡易モードに関する処理を実行する、プログラム制御モジュール（１１０）と、を含む、請求項１０に記載のデジタルメディアプレーヤ。
【発明の詳細な説明】
【技術分野】
【０００１】
本出願は、２０１０年２月６日提出の台湾出願番号０９９１０３６３８の優先権を主張する。
【０００２】
本発明は、デジタルメディアプレーヤの制御方法と装置に関し、特に、お気に入りリストを同時に表示し、お気に入りリストにある特定画像ファイルを即時再生することを可能にする、デジタルメディアプレーヤ向けメディアファイルのアクセス制御方法と、私のお気に入りフォルダを追加する方法及び装置と、に関する。
【背景技術】
【０００３】
デジタルメディアプレーヤは、テレビないしディスプレイ画面に接続後、デジタル画像や写真、または音楽ファイルを再生あるいは表示するために使用される装置である。標準的なパーソナルコンピュータでも、ユーザ向けに前記マルチメディアファイルを再生かつ表示することは可能だが、特に家族全員でファイルを再生あるいは表示して楽しみたい時は、パーソナルコンピュータの表示画面にはサイズに限りがあるため、視聴体験はつまらなく不便なものとなるであろう。さらに、写真の解像度がますます高くなるにつれて、極めて高い解像度で画像を表示する際、コンピュータハードウェアはある程度高いレベルでなければならない。とは言え、標準的な市販のデジタルメディアプレーヤは、高解像度画像を表示するには十分であり、その費用はパーソナルコンピュータよりもかなり低価格である。
【０００４】
ユーザは、写真ファイルを表示したいとき、写真ファイルが外部記憶装置やネットワークドライブに格納されているとすると、まず、その格納先を見つけることが必要となる。市販のデジタルメディアプレーヤでファイル管理に使われる標準的なインタフェースは、ディレクトリ表示もしくはフォルダ表示を伴うものである。従って、ユーザは、どのディレクトリもしくはフォルダに、ファイルが格納されているのか見極めることが必要であり、その後、その格納パスに従ってファイルの再生または表示が可能となる。
【０００５】
しかしながら、非常に若いユーザや一部の高齢ユーザ、もしくはコンピュータ操作に不慣れなユーザにとって、従来のマルチメディアプレーヤでファイルを表示及び再生する方法は、容易でないかもしれない。従って、ユーザがコンピュータを操作できる度合いにかかわらず、どんなユーザでもマルチメディアプレーヤを容易に使うことができるように、本課題を解決する必要がある。
【発明の概要】
【発明が解決しようとする課題】
【０００６】
よって、本発明の主たる目的は、
お気に入りリストを同時に表示し、お気に入りリストにある特定画像ファイルを即時再生することを可能にする、デジタルメディアプレーヤ向けメディアファイルのアクセス制御方法、並びに、
私のお気に入りフォルダを追加する方法及び装置
を提供することである。
【課題を解決するための手段】
【０００７】
本発明の第一の特徴によれば、本発明に係るデジタルメディアプレーヤ向けメディアファイルのアクセス制御方法は、
ａ）モード選択指示を受信すること、
ｂ）モード選択指示が簡易モードあるいはコンピュータファイルモードに相当するかどうかを見極めること、
ｃ）モード選択指示が簡易モードに相当する場合、マルチメディアファイルの各名称及び格納先を記憶している、予め作成されたお気に入りリストのコンテンツに従って、複数のマルチメディアファイルを読み込む手順を実行し、且つ、表示要素を含む画面の第一領域にあるマルチメディアファイルのサムネイルを表示し、
前記マルチメディアファイルのサムネイルは、マルチメディアファイルを直接且つ即時に再生できるように、選択され得ること、
という構成を含む。
【０００８】
本発明の第二の特徴によれば、本発明に係るデジタルメディアプレーヤは、表示要素に提示用の複数のマルチメディアファイルを蓄えるために、データソースと連携する。
前記デジタルメディアプレーヤは、
モード選択指示を受信するための遠隔制御受信機と、
予め作成されたお気に入りリストを格納し、そのお気に入りリストのコンテンツがマルチメディアファイルの各名称及び格納先を記憶している、記憶装置と、
プログラム制御モジュールと、で構成され、
前記プログラム制御モジュールは、
モード選択指示を受信し、
モード選択指示が簡易モードあるいはコンピュータファイルモードに相当するかどうか見極め、
且つ、モード選択指示が簡易モードに相当する場合、各名称及び格納先を記憶している、予め作成されたお気に入りリストのコンテンツに従って、記憶装置からマルチメディアファイルを読み込み、
その上、表示要素を含む画面の第一領域にあるマルチメディアファイルのサムネイルを表示し、前記マルチメディアファイルのサムネイルは、マルチメディアファイルを直接且つ即時に再生できるように、選択され得る。
【０００９】
本発明の第三の特徴によれば、デジタルメディアプレーヤ向け私のお気に入りリストフォルダを追加する方法は、
ａ）新規の私のお気に入りリストフォルダを作成するかどうか決定し、
ｂ）私のお気に入りリストフォルダに名前を付けることを待ち、
ｃ）選択用マルチメディアファイルの種類を提供し、そして、
ｄ）新規の私のお気に入りリストフォルダの作成が無事完了したかどうか確認する、という構成から成る。
【００１０】
第四の特徴によれば、本発明に係るデジタルメディアプレーヤは、表示要素に再生用の１つもしくは複数のマルチメディアファイルを蓄えるために、データソースと連携する。
前記デジタルメディアプレーヤは、
案内指示を受信するための遠隔制御受信機と、
マルチメディアファイルのファイルパスを有するお気に入りリストを格納するための記憶装置と、
プログラム制御モジュールと、
ビデオインタフェースと、で構成され、
前記プログラム制御モジュールは、
簡易モードの処理を行い、且つ、
お気に入りリストにあるファイルパスに従って、マルチメディアファイルを読み込み、マルチメディアファイルのサムネイルをプレビュー表示するためのサムネイルリストを生成し、受信した案内指示に従ってサムネイルリストから別のマルチメディアファイルを選択する、ディレクトリ処理ユニットと、
案内指示によって選択されたマルチメディアファイルの再生、及び、画像生成のための、再生処理ユニットと、
画面の第一領域にあるサムネイルリストとその画面の第二領域にある画像を調整し、サムネイルリストと画像を表示信号に統合させる、表示制御ユニットと、を有し、
前記ビデオインタフェースは、
表示信号を表示要素に表示することに適した出力信号に変換し、出力信号を表示要素に出力させる。
【００１１】
本発明のその他の特徴及び利点は、図面を参照して行う以下の発明の実施の形態の詳細な説明から明らかとなろう。
【図面の簡単な説明】
【００１２】
【図１】本発明に係るデジタルメディアプレーヤの実施の形態を示す回路ブロック図である。
【図２】本実施の形態のリモコン機を図解する概略図である。
【図３】本発明に係るデジタルメディアプレーヤ向けメディアファイルのアクセス制御方法を実行する、プログラム制御モジュールを図解する概略図である。
【図４】選択して即時再生する方法において、表示要素に表示される画面を図解する概略図である。
【図５】表示要素に表示されるディレクトリリストの画面を図解する概略図である。
【図６】表示要素に表示されるフォルダリストの画面を図解する概略図である。
【図７】お気に入りリストへマルチメディアファイルを追加する操作手順を図解する概略図である。
【図８】お気に入りリストと“私のお気に入り”の画像リストを図解する概略図である。
【図９】選択して即時再生する方法において操作される“私のお気に入り”に、お気に入りリストを割り当てるための操作手順を図解する概略図である。
【図１０】本発明に係るデジタルメディアプレーヤのモード切り替えにおける画像処理を図解するフローチャートである。
【図１１】お気に入りリストが、選択して即時再生する方法において操作されるために割り当てられた後、どのように使用されるのかを図解する概略図である。
【図１２】本発明に係るデジタルメディアプレーヤの、選択して即時再生する方法における画像処理を図解するフローチャートである。
【図１３】私のお気に入りフォルダを追加する方法を図解するフローチャートである。
【図１４】本発明にかかるデジタルメディアプレーヤの、“私のお気に入り”に新規のファイルを追加する方法を図解するフローチャートである。
【発明を実施するための形態】
【００１３】
Ｉ．システム構造
図１を参照すると、本発明に係るデジタルメディアプレーヤ１００の実施の形態は、別のデータソース２００から、様々な種類のマルチメディアファイルを取得していることを示す。
データソース２００は、メモリーカード２１もしくはデジタルメディアプレーヤ１００に直結されるポータブルハードディスク２２、または、ルータのようなネットワーク接続装置２５を経由してマルチメディアプレーヤ１００に接続される、複数のマルチメディアサーバ２４を含み得る（ただし必ずしもこれらに限定されるものではない。）。
マルチメディアファイルは、ビデオファイル、写真ファイル及び音楽ファイルのいずれか、もしくは全てを有する。
さらに、デジタルメディアプレーヤ１００は、テレビ３に接続され、高解像度ディスプレイのようなテレビ３の表示要素３１と連携して、マルチメディアファイルの画像を再生し、且つ、内蔵型スピーカのようなテレビ３のスピーカ３２とさらに連携して、マルチメディアファイルの音声を再生する。
【００１４】
デジタルメディアプレーヤ１００は、制御モジュール１１と、記憶装置１２と、遠隔制御受信機１３と、ビデオインタフェース１４１と、オーディオ伝送インタフェース１４２と、接続インタフェース１５と、リモコン機１６と、を有する。
【００１５】
記憶装置１２は、ＲＡＭ（読み書き可能メモリ）１２１と、フラッシュメモリ１２２とを有する。
遠隔制御受信機１３は、リモコン機１６からの制御信号を受信する、赤外線受信機である。
ビデオインタフェース１４１は、表示要素３１に接続され、表示要素３１に出力信号を送る。出力信号は、ビデオインタフェース１４１によって、表示信号から表示要素３１への表示に適した信号へと変換される。
オーディオ伝送インタフェース１４２は、音声を再生するためのスピーカ３２に接続される。
接続インタフェース１５は、カードリーダ１５１と、ＵＳＢ（汎用シリアルバス）インタフェース１５２と、メモリーカード２１、ポータブルハードディスク２２及びネットワーク接続装置２５に各々接続されるネットワークインタフェース１５３とを有する。
前記構成要素は既存のハードウェア技術が実装されているため、ここでは、その作動原理についての説明は、省略される。
【００１６】
加えて、図２を参照すると、リモコン機１６は、電源ボタン１６０と、ディレクトリボタン１６１と、モードボタン（簡易ボタン）１６２と、お気に入りボタン１６３と、方向ボタン１７と、確定ボタン１８とを有することを示す。
方向ボタン１７は、上矢印ボタン１７１と、下矢印ボタン１７２と、左矢印ボタン１７３と、右矢印ボタン１７４とを含む。
リモコン機１６の電源ボタン１６０を押すと、デジタルメディアプレーヤ１００の電源が入る。
モードボタン１６２を押すと、コンピュータファイルモードと本発明に係る簡易モードとの画面切り替えに使用される、モード選択指示が生成される（図４を参照）。
ディレクトリボタン１６１を押すと、図５に示されるように、全般的なディレクトリメニューの画面が生成される。
【００１７】
図１、２及び４に関して、本発明に係るデジタルメディアプレーヤ１００向けメディアファイルのアクセス制御方法を、以下の通り記載する。
モード選択指示を受信した後、デジタルメディアプレーヤ１００は、そのモード選択指示が簡易モードあるいはコンピュータファイルモードに相当するかどうか見極める。
モード選択指示が簡易モードに相当する場合、表１に示されるように、予め作成されたお気に入りリストのファイルコンテンツに従って、マルチメディアファイルが読み込まれる。
その結果、マルチメディアファイルのサムネイル５３２が、表示要素３１を含む画面５００の第一領域５１に表示される。
これらのマルチメディアファイルは、各サムネイル５３２を選択することによって即時再生が可能であり、従って、別のメディアプレーヤプログラムが読み込まれるのを待つ必要がない。
【００１８】
【表１】
2011170849.tif 000003
【００１９】
例えば、ビデオマルチメディアファイル（例えば、a.avi）や写真マルチメディアファイル（例えば、K.jpg）に相当するサムネイル５３２が選択された場合、選択されたマルチメディアファイルのコンテンツが、画面５００の第二領域５２に表示されることが望ましい。音楽マルチメディアファイル（例えば、AMAY.mp3）に相当するサムネイル５３２が選択された場合には、アーティスト名、アルバム名、作曲家、ジャンル、作詞家、時代あるいはカバー情報といったタグ情報が、画面５００の第二領域５２に表示されることが望ましい。
【００２０】
さらに、マルチメディアファイルの名称は、指示スクロール機構を利用して選択可能である。指示スクロール機構で、第一軸方向のボタン（上矢印ボタン１７１と下矢印ボタン１７２を含む）からの第一の案内指示が受信されると、同じファイルグループにあるマルチメディアファイルが選択され、且つ、第二軸方向のボタン（左矢印ボタン１７３と右矢印ボタン１７４を含む）からの第二の案内指示が受信されると、異なるファイルグループが選択され得る。
【００２１】
再び図１を参照すると、制御モジュール１１は、マルチメディアプレーヤ１００の動作全体を制御する装置であることを示す。様々なプログラム制御モジュール及び制御モジュール１１による処理のために必要とされるデータは、フラッシュメモリ１２２に格納され、一時的なデータは、ＲＡＭ１２１に格納される。
【００２２】
図３を参照すると、本発明に係るデジタルメディアプレーヤ向けメディアファイルのアクセス制御方法を実行するためのプログラム制御モジュール１１０は、図１の制御モジュール１１にインストールされる。プログラム制御モジュール１１０は、簡易モードでの関連動作を実装するために使用される場合があり、リスト処理ユニット１１１と、ディレクトリ処理ユニット１１２と、再生処理ユニット１１３と、表示処理ユニット１１４とを有する。
【００２３】
図１から４に関して、
リスト処理ユニット１１１は、お気に入りリストを作成するため、及び、フラッシュメモリ１２２にそのお気に入りリストを格納するために機能する。お気に入りリストはマルチメディアファイルのファイルパスを含み、当該設定は図７及び８で図解される。簡易モードでは、ディレクトリ処理ユニット１１２は、リスト処理ユニット１１１によって予め作成されたお気に入りリストのファイルパス（例えば、サーバ２４あるいはポータブルハードディスク２２に格納されたマルチメディアファイルのファイルパス）に従って、マルチメディアファイルを読み込み、マルチメディアファイルのサムネイル５３２をプレビューするためのサムネイルリスト５３０を生成する。
続いて、ディレクトリ処理ユニット１１２は、リモコン機１６から受信された案内指示（例えば、上矢印ボタン１７１や下矢印ボタン１７２の操作による）に従って、サムネイルリスト５３０からマルチメディアファイルを選択すると、サムネイル５３２が上下スクロールによってプレビューされ得る。サムネイルリスト５３０は、所定ウィンドウ５３１を含み、所定ウィンドウ５３１の中にあるサムネイル５３２は、選択されたマルチメディアファイルを表す。
【００２４】
再生処理ユニット１１３は、案内指示によって選択されたマルチメディアファイルを再生し、画像５２０を生成する。
表示制御ユニット１１４は、画面５００の第一領域５１にあるサムネイルリスト５３０と画面５００の第二領域５２にある画像５２０とを調整し、表示要素３１へ表示するために、サムネイルリスト５３０と画像５２０とを表示信号に統合させる。
【００２５】
リモコン機１６の方向ボタン１７は、マルチメディアファイルを選択するために使用される。第一軸（例えば、Ｙ軸）方向の矢印ボタン（すなわち、上矢印ボタン１７１と下矢印ボタン１７２）は、同じファイルグループにあるマルチメディアファイルを選択するために使用される。異なる種類のファイルグループは、ビデオファイルタイプ、写真ファイルタイプ、及び音楽ファイルタイプのグループを含む。例えば、ビデオファイルタイプを含むファイルグループでは、第一領域５１にあるサムネイルリストの情報源は、ビデオファイルである。
一方、第一軸と相対する第二軸（例えば、Ｘ軸）方向の矢印ボタン（すなわち、左矢印ボタン１７３と右矢印ボタン１７４）は、異なるファイルグループを選択するために使用される。つまり、第一領域５１のファイルグループは、ビデオファイル、写真ファイル及び音楽ファイルに合わせて、サムネイルリスト間で変更されることが可能である。
【００２６】
従って、簡易モードでは、リモコン機１６の上矢印ボタン１７１と下矢印ボタン１７２とは、特定のビデオファイルを選択するために使用され得る。その後、ビデオファイルが、視聴して楽しむために自動的に再生される。さらに、リモコン機１６の左矢印ボタン１７３と右矢印ボタン１７４は、特定のマルチメディアタイプを選択するために使用され得る。例えば、音楽タイプを写真タイプに変更することが可能であり、その後、上矢印ボタン１７１と下矢印ボタン１７２とを用いて特定の音楽もしくは写真ファイルが選択され、自動的に再生され得る。
【００２７】
II．操作手順
図５及び６を参照すると、表示要素３１は、メインページ上にあるディレクトリリストを表示する画面３１１を示す。ディレクトリリストは、異なったマルチメディアタイプのアイコンを含む。リモコン機１６の左矢印ボタン１７３と右矢印ボタン１７４とは、特定のマルチメディアタイプを選択するために使用され得る。例えば、映画のマルチメディアタイプが選択された場合、フォルダリストの画面３１２が生成される。ユーザがファイルフォルダを選択した後、マルチメディアファイルは、マルチメディアファイルの格納パスに従って検索され、そのマルチメディアファイルを鑑賞できるように再生される。
【００２８】
図７及び８は、マルチメディアファイルをお気に入りリスト４６１に追加する過程を図解する。
【００２９】
図１及び２に関して、マルチメディアプレーヤ１００を起動させると、ディレクトリ画面４１が表示される。ディレクトリ画面４１は、その下部に複数のアイコンオプションを有する。初期設定のハート型アイコンは、“私のお気に入り”を表す。
その後、ステップ５０１で右矢印ボタン１７３あるいは左矢印ボタン１７４を押すと、ステップ５０２として、選択したファイルの種類が表示される。例えば、右矢印ボタン１７４を押すと、映画のアイコンオプションの画面４２が示される。
次に、ステップ５０３で確定ボタン１８を押すと、ステップ５０４として、選択されたデータソースを表示するためのデータソースリストの画面４３が示される。
ステップ５０５で確定ボタン１８を押すと、ステップ５０６で選択されたファイルを表示するために、ファイルリストの画面４４が示される。
ステップ５０７においては、ファイルを選択する方法が２種類ある。ステップ５０８でファイルを選択するために確定ボタン１８を押すと、その後、ステップ５０９として、ファイルが直接再生もしくは表示される。もう１つの方法として、ステップ５１０として、ファイルをお気に入りリスト４６１に追加するために、お気に入りボタン１６３を押すことも可能である。
【００３０】
続いて、ステップ５１０を実行するという選択肢を仮定すると、ステップ５１１で、“私のお気に入り”リストの画面４５が示される。ステップ５１２で、“私のお気に入り”リストのうちの１つが選択され、ステップ５１３で、確定ボタン１８が押される。その結果、ステップ５１４で、選択されたファイルが特定の“私のお気に入り”リストに追加される。すなわち、この例ではお気に入りリスト４６１である。
次に、ステップ５１５で、元のファイルリストの画面４４に戻る。
【００３１】
図８を参照すると、“私のお気に入り”のお気に入りリスト４６１は、選択されたファイルを、ファイルタイプに応じて、ビデオタイプ、写真タイプ及び音楽タイプに、自動的に分類することを示す。選択されたオプション（例えばビデオタイプ）は、強調表示される。確定すると、選択されたオプションのビデオリスト５１０が示され、ビデオリスト５１０内の選択されたビデオファイルが強調表示される。
【００３２】
“私のお気に入り”に複数のお気に入りリスト４６１が生成された後、お気に入りリスト４６１のどれか１つは、簡易モードで使用されるために割り当てられ得る。この過程の操作フローは、図９で図解される。
【００３３】
図１、２及び９を参照すると、デジタルメディアプレーヤ１００で“私のお気に入り”の“ハート”型のアイコンオプションの画面６１が表示されると、ステップ６０１として確定ボタン１８を押し、ステップ６０２にある“私のお気に入り”リストの画面６２を表示する。
次に、ステップ６０３で上矢印ボタン１７１と下矢印ボタン１７２を押し、ステップ６０４として、選択されたお気に入りリストを表示する。例えば、画面６３に示されるような、“私のお気に入り”リストにある第二のお気に入りリストである。
次に、ステップ６０５として、右矢印ボタン１７４を押す。
続いて、ステップ６０６として、リストのコンテンツが示される。例えば、画面６４に示されるような、第二のお気に入りリストにあるコンテンツである。
その後ステップ６０７として確定ボタン１８を押す。
最後に、画面６５に示されるように、ステップ６０８において、簡易モードで使用されるお気に入りリストが指定される。
【００３４】
簡易モードで、“私のお気に入り”にあるお気に入りリストが指定されると、“私のお気に入り”にあるお気に入りリストのファイルが、直接再生され得る。この過程の操作フローは、以下において詳細に記載される。
【００３５】
図１、２及び１０を参照すると、ここでは、デジタルメディアプレーヤ１００のモード切り替えの操作手順が記載される。
まず、ステップ３０１として、デジタルメディアプレーヤ１００がモード選択指示を受信する。次に、ステップ３０２で、デジタルメディアプレーヤ１００は、現在のモードが何かを見極める。現在のモードがコンピュータファイルモードであれば、ステップ３０３において簡易モードへの切り替えが実行される。続いてステップ３０５として、簡易モードの操作手順が実行される。
一方、現在のモードが簡易モードであれば、ステップ３０４においてコンピュータファイルモードへの切り替えが実行され、その後、ステップ３０６としてコンピュータファイルモードの操作手順が実行される。
【００３６】
図１１は、簡易モードの手順を図解している。デジタルメディアプレーヤ１００を起動すると、コンピュータファイルモードの画面７１が表示される。ステップ７０１として、リモコン機１６のモードボタン１６２を押し、ステップ７０２において、簡易モードへの切り替えが実行されるようにする。
次に、簡易モードの状態で、簡易モードの画面７２がステップ７０３において表示される。
そこで、ユーザは、画面７３を有するビデオタイプの第二のファイルのように、ステップ７０５においてリスト内のファイルを変更するために、ステップ７０４として、上矢印ボタン１７１と下矢印ボタン１７２とを押す。
あるいは、画面７４を有する写真タイプのファイルリストのように、ステップ７０７において異なる種類のファイルリストに変更するために、ステップ７０６として、左矢印ボタン１７３と右矢印ボタン１７４とを押す。
右矢印ボタン１７４を連続的に押すことにより、ファイルリストは、ビデオタイプから写真タイプへ、それから音楽タイプへ、そして再びビデオタイプへ、と順を追って変更され得る。左矢印ボタン１７５を押すことにより、ファイルリストは、ビデオタイプから音楽タイプへ、それから写真タイプへ、そして再びビデオタイプへ、と変更され得る。
【００３７】
図１２は、デジタルメディアプレーヤ１００における簡易モードの操作手順を図解している。
まず、ステップ４０１として、デジタルメディアプレーヤ１００はお気に入りリスト４６１を決定する。ステップ４０２においては、デジタルメディアプレーヤ１００は、お気に入りリスト４６１を変更するための指示を受信した後、お気に入りリスト４６１を変更する。デジタルメディアプレーヤ１００は、ステップ４０３として“私のお気に入り”からお気に入りリストを読み込み、ステップ４０４として選択アイテムを決定し、ステップ４０５として選択アイテムを再生あるいは表示する。
次に、ステップ４０６として、デジタルメディアプレーヤ１００は、上矢印ボタン１７１と、下矢印ボタン１７２と、左矢印ボタン１７３と、右矢印ボタン１７４とからの、案内指示を待つ。
ステップ４０７において、案内指示を受信した後、デジタルメディアプレーヤ１００は案内指示が何であるのかを見極める。
ステップ４０８としては、受信した案内指示が上矢印ボタン１７１もしくは下矢印ボタン１７２からである場合、リストにあるファイルが変更可能である。ステップ４０９において、受信した案内指示が左矢印ボタン１７３もしくは右矢印ボタン１７４からである場合、ファイルリストが別の種類に変更可能である。
【００３８】
図１３に関して、私のお気に入りフォルダを追加する方法は、以下に記載されるようなステップを含む。
ステップ１０１として、新規のお気に入りリストが決定もしくは作成される。次に、ステップ１０２としてアクションリストを決定し、ステップ１０３としてマルチメディアファイルを選択する。続いてステップ１０４として、お気に入りボタン１６３（図２を参照）を押して、選択したマルチメディアファイルを追加する。次いで、別のマルチメディアファイルを選択することも可能であり、その後、流れはメインメニューに戻り、アクションリストを編集する、あるいは、別のお気に入りリストを編集することも可能である。
【００３９】
デジタルメディアプレーヤ１００による私のお気に入りリスト追加の決定ステップは、次の通りである。
まず、新規の私のお気に入りリストフォルダを作成するかどうかを決定し、
私のお気に入りリストに名前が付けられるまで待機し、
選択用マルチメディアファイルの種類を提供し、そして、
新規の私のお気に入りリストの作成が無事完了したかどうか確認する。
【００４０】
図１４に関して、私のお気に入りにファイルを追加する方法は、以下に示されるようなステップを含む。
ステップ１０５として、お気に入りリストを決定する。次に、右矢印ボタン１７４を押してメニューを生成し、ステップ１０６としてメニューから簡易モードを選択する。続いて、ステップ１０７において、ファイルの操作モードが簡易モードのものであるかどうかが見極められる。異なる場合、ステップ１０８において設定は実行されない。一方、ファイルの操作モードが簡易モードのものであれば、ステップ１０９において、ファイルの操作モードは簡易モードとして設定される。
【００４１】
要約すれば、デジタルメディアプレーヤ１００の表示要素３１は、ユーザがマルチメディアファイルを選択するために、お気に入りリスト４６１のビデオリスト５１０を同時に表示すること、ならびに、選択されたマルチメディアファイルを直接表示及び再生することが可能である。従って、コンピュータの使い方がわからない人であっても、本発明を容易に操作することが可能であり、その結果、本発明の目的を達成する。
【００４２】
本発明は、最も実践的な形態と思われるものに関連して記載されているが、本発明が、明示された形態に限らず、あらゆる修正や同等の構成を網羅するために、最も広い解釈から成る精神と範囲の中で様々な構成に広がることを目的とするということを、認識し同意する。
【図１】
2011170849.tif 000004
【図２】
2011170849.tif 000005
【図３】
2011170849.tif 000006
【図４】
2011170849.tif 000007
【図５】
2011170849.tif 000008
【図６】
2011170849.tif 000009
【図７】
2011170849.tif 000010
【図８】
2011170849.tif 000011
【図９】
2011170849.tif 000012
【図１０】
2011170849.tif 000013
【図１１】
2011170849.tif 000014
【図１２】
2011170849.tif 000015
【図１３】
2011170849.tif 000016
【図１４】
2011170849.tif 000017
【手続補正書】
【提出日】平成23年4月1日(2011.4.1)
【手続補正１】
【補正対象書類名】明細書
【補正対象項目名】００２９
【補正方法】変更
【補正の内容】
【００２９】
図７及び８に関して、マルチメディアプレーヤ１００を起動させると、ディレクトリ画面４１が表示される。ディレクトリ画面４１は、その下部に複数のアイコンオプションを有する。初期設定のハート型アイコンは、“私のお気に入り”を表す。
その後、ステップ５０１で左矢印ボタン１７３あるいは右矢印ボタン１７４を押すと、ステップ５０２として、選択したファイルの種類が表示される。例えば、右矢印ボタン１７４を押すと、映画のアイコンオプションの画面４２が示される。
次に、ステップ５０３で確定ボタン１８を押すと、ステップ５０４として、選択されたデータソースを表示するためのデータソースリストの画面４３が示される。
ステップ５０５で確定ボタン１８を押すと、ステップ５０６で選択されたファイルを表示するために、ファイルリストの画面４４が示される。
ステップ５０７においては、ファイルを選択する方法が２種類ある。ステップ５０８でファイルを選択するために確定ボタン１８を押すと、その後、ステップ５０９として、ファイルが直接再生もしくは表示される。もう１つの方法として、ステップ５１０として、ファイルをお気に入りリスト４６１に追加するために、お気に入りボタン１６３を押すことも可能である。
【外国語明細書】
2011170849000001.pdf
2011170849000002.pdf
2011170849000003.pdf
2011170849000004.pdf